(57)【要約】【課題】１又は複数の閉じたリングに紙葉類を係合させて綴じる綴じ具のデザイン上の自由度を高めるとともに、低いコストで種々のサイズに対応させる。【解決手段】１又は複数の閉じたリング３を具備し、前記リング３に紙葉類を係合させて綴じる綴じ具１に、前記リング３を保持するとともに、前記リング３と別体に形成されたベース４を具備させ、さらに、このベース４を、前記リング３の紙葉類を綴じ込まない側の領域である非綴じ込み領域３ａを嵌め込んで保持するリング保持部４ａと、前記非綴じ込み領域を被覆するリング被覆部４ｂとを有するものとした。【選択図】図２
2004025492.tif 000002
【特許請求の範囲】
【請求項１】
１又は複数の閉じたリングを具備し、前記リングに紙葉類を係合させて綴じるものであって、紙葉類の端縁に沿って延びる形状をなし、前記リングを保持するとともに、前記リングと別体に形成されたベースを具備し、このベースが、前記リングの紙葉類を綴じ込まない側の領域である非綴じ込み領域を嵌め込んで保持するリング保持部と、前記非綴じ込み領域を被覆するリング被覆部とを有することを特徴とする綴じ具。
【請求項２】
所定の形状をなすシート状部材を折り曲げることにより前記ベースの一部又は全部を形成していることを特徴とする請求項１記載の綴じ具。
【請求項３】
前記シート状部材が、一端縁部に設けた係合部と、他端縁部に設けられた被係合部と、これら係合部と被係合部との中間に位置し、前記リングの前記非綴じ込み領域を嵌め込む前記リング保持部たるリング保持孔とを有することを特徴とする請求項２記載の綴じ具。
【請求項４】
前記ベースが三角柱状をなすことを特徴とする請求項１、２、又は３記載の綴じ具。
【請求項５】
前記ベースを、このベースと別体をなすファイル本体に取付可能に構成していることを特徴とする請求項１、２、３、又は４記載の綴じ具。
【請求項６】
請求項３記載の綴じ具を製造する方法であって、前記リングを予め前記シート状部材のリング保持孔に嵌め込み、前記シート状部材を所定の折り目で折り曲げて係合部と前記被係合部とを係合させて所定の形状に組み立てるようにしていることを特徴とする綴じ具の製造方法。
【請求項７】
前記リング保持孔が前記ベースの長手方向に直交する方向に延びる形状に設けてあるとともに、前記シート状部材を、前記ベースの長手方向に延び、前記リング保持孔を通過する所定の折り目で折り曲げるようにしていることを特徴とする請求項６記載の綴じ具の製造方法。
【発明の詳細な説明】
【０００１】
【発明の属する技術分野】
本発明は、紙葉類に閉じたリングを係合させて紙葉類を綴じるファイルに関する。
【０００２】
【従来の技術】
従来、リングを開閉可能に構成する代わりに、紙葉類の端縁を閉じたリングに係合させて紙葉類を綴じるように構成した綴じ具を有するファイルが存在している。
【０００３】
このようなファイルのリングは、背表紙に紙葉類を綴じ込まない側の領域である非綴じ込み領域を保持させているか、又はこのリングを保持するベースとを一体に成形している。
【０００４】
【発明が解決しようとする課題】
しかし、前者のような構造の場合、前記非綴じ込み領域は必ず背表紙の外側に露出するようになり、デザイン上の自由度が低下する上に、背表紙にファイルの内容を示すラベルを設ける際にもリングが邪魔になり不具合が発生する。
【０００５】
また、後者のような構造においては、リングとベースとを１つの金型を用いて一体成形を行うが、この場合サイズの異なるファイルに対して別々の金型を用意する必要があり、さまざまなサイズのファイルを製造するにはコストがかかるという不具合が発生する。
【０００６】
本発明は以上に述べた課題を解決し、デザイン上の自由度を向上するとともに、低コストでさまざまなサイズのファイルに対応するものを製造できるような綴じ具を提供するものである。
【０００７】
【課題を解決するための手段】
すなわち本発明に係る綴じ具は、１又は複数の閉じたリングを具備し、前記リングに紙葉類を係合させて綴じるものであって、紙葉類の端縁に沿って延びる形状をなし、前記リングを保持するとともに、前記リングと別体に形成されたベースを具備し、このベースが、前記リングの紙葉類を綴じ込まない側の領域である非綴じ込み領域を嵌め込んで保持するリング保持部と、前記非綴じ込み領域を被覆するリング被覆部とを有することを特徴とする。
【０００８】
このようなものであれば、リング被覆部によりリングの非綴じ込み領域を少なくともこの非綴じ込み領域の端縁からリングの中心に向かう方向から被覆しているので、この部分にファイルの内容を示すラベルを設けてこの綴じ具を単独で使用する等、デザイン上の自由度を向上できるようになる。また、リングとベースとが別体であるので、サイズの異なるファイルを製造する際には、ベースの長さ寸法だけを替えればよくなり、リングは単一の金型で製造できるので、より低コストでさまざまなサイズに対応できるようになる。なお、本発明で「非綴じ込み領域を被覆する」とは、少なくともこの綴じ具を用いて綴じた紙葉類を書棚等に保存する際に紙葉類の厚み方向及びこの綴じ具の長手方向に直交し、かつ紙葉類に向かう方向から前記非綴じ込み領域を視認不可能にすること全般を含む概念である。また、リングは、中心部以外に孔を設けたもの、及び孔を設けないものを含む。
【０００９】
このような綴じ具を簡単な構成で実現できるようにするには、所定の形状をなすシート状部材を折り曲げることにより前記ベースの一部又は全部を形成するのが望ましい。
【００１０】
このような綴じ具を無理なく実現するには、前記シート状部材が、一端縁部に設けた係合部と、他端縁部に設けられた被係合部と、これら係合部と被係合部との中間に位置し、前記リングの前記非綴じ込み領域を嵌め込む前記リング保持部たるリング保持孔とを有するようにすればよい。予め前記リング保持孔に前記リングを係合させることにより前記リングを無理なく取り付けるようにできるとともに、係合部と被係合部とを係合させてシート状部材を柱状に組み上げるようにできるからである。
【００１１】
このような綴じ具は、前記リングを予め前記シート状部材のリング保持孔に嵌め込み、前記シート状部材を所定の折り目で折り曲げて係合部と前記被係合部とを係合させて所定の形状に組み立てるようにすると、無理なく所定の形状に組み立てることができる。
【００１２】
特に、前記リング保持孔が前記ベースの長手方向に直交する方向に延びる形状に設けてあるとともに、前記シート状部材を、前記ベースの長手方向に延び、前記リング保持孔を通過する所定の折り目で折り曲げるようにすれば、前記リングを折り曲げられた前記リング保持孔の部分で面的に挟み込むように保持できるので、前記リングをより安定して取り付けるようにできる。
【００１３】
このような綴じ具のベースに強度を与えるとともに、ラベルを設けやすくするには、前記ベースが三角柱状をなすようにすればよい。三角柱状とすることにより、三角柱を折り曲げる方向の力に対して剛性を与えることができるとともに、三角柱の側面にラベルを設けやすくできるからである。
【００１４】
さらに、前記ベースを、このベースと別体をなすファイル本体に取付可能に構成しているものであれば、ファイルのデザインの自由度をさらに向上できるとともに、前記ファイル本体が背表紙、表表紙、及び裏表紙を一体に設けたものであれば、一般的なファイルと同様の構成にすることができるようになる。
【００１５】
【発明の実施の形態】
以下に本発明の一実施形態について述べる。
【００１６】
本実施形態に係る綴じ具１は、斜視図を図１、正面図を図２、平面図を図３、側面図を図４に示すような紙葉類Ｐを綴じるファイルＦに用いられる。このファイルＦは、前記綴じ具１の他に、ファイル本体２を具備する。なお、図２〜図４では、前記ファイル本体２及び紙葉類Ｐは想像線で示す。
【００１７】
前記ファイル本体２は、図１に示すように、１枚のシート状の部材を折り曲げて構成している。より具体的には、幅方向中央部を背表紙２ａとし、この背表紙２ａを挟んで表表紙２ｂ及び裏表紙２ｃを、これら表表紙２ｂと裏表紙２ｃとが対向するように折り曲げて形成している。そして、背表紙２ａには、前記綴じ具１を取り付けるためのリベットＲを挿し通すための図示しないリベット挿通孔を設けている。
【００１８】
しかして、前記綴じ具１は、複数の閉じた円形をなすリング３と、前記リング３を保持するとともに前記リング３と別体に形成されたベース４とを具備し、前記リング３に紙葉類を係合させて綴じるものである。
【００１９】
前記リング３は、平面視中央部に円形の孔を有するとともに、外縁部の厚さ寸法を他の部分の厚さ寸法と比べて大きくしてあり、従来のこの種の綴じ具に用いられるリングとして周知のものと同様に構成されている。そして、その一部を紙葉類を綴じ込まない側の領域である非綴じ込み領域３ａとして設定してベース４に保持させているとともに、残りの領域を綴じ込み領域３ｂとして、この綴じ込み領域３ｂに紙葉類を綴じ込むようにしている。なお、このリング３への紙葉類Ｐの綴じこみは、従来のこの種の綴じ具と同様に、紙葉類Ｐに、その端縁から所定距離離れた箇所に設けた図示しない係合孔を設けておくとともに、紙葉類の端縁からこの係合孔に向けて図示しない切れ込みを設け、この切れ込みに案内させて前記係合孔を前記リング３の端縁に係合させて行うようにしている。
【００２０】
前記ベース４は、三角柱状をなし、前記リング３の非綴じ込み領域３ａを嵌め込んで保持するリング保持部４ａと、前記非綴じ込み領域３ａをこの非綴じ込み領域３ａの端縁からリング３の中心に向かう方向から被覆するリング被覆部４ｂとを有する。そして、前記ファイル本体２に設けたリベット挿通孔に対応させて、このベース４にもリベット挿通孔４ｃを設け、このベース４を前記ファイル本体２に取付可能に構成している。
【００２１】
また、このベース４は、本実施形態ではポリプロピレン樹脂により構成された図５に示すようなシート状部材４ｘを折り曲げることにより形成している。このシート状部材４ｘは、細長い所定の形状をなしており、一端縁部には挿込孔４ｘ１を複数設けている。一方、他端縁部には、挿込孔に幅方向中心線を挟んで前記挿込孔４ｘ１と対向する位置に挿込突起４ｘ２を設けている。この挿込突起４ｘ２の幅寸法は、前記挿込孔４ｘ１よりも大きくしてある。さらに、これら挿込孔４ｘ１と挿込突起４ｘ２との中間、すなわち幅方向中心部にはリング保持孔４ｘ３を複数設けている。このリング保持孔４ｘ３は、ベース４の長手方向となる方向に直交する方向に延び、前記リング３を略密着して嵌め込むことのできる形状をなしている。そして、このシート状部材４ｘには、予め前記リベット挿通孔４ｃとなる孔４ｘ４を設けてある。加えて、このシート状部材４ｘには、折り目４ｘ５がベース４の長手方向となる方向に沿って設定してあり、この折り目４ｘ５に従って折り曲げていくと三角柱状をなすベース４が形成されるようにしてある。前記折り目４ｘ５のうちの１本は、前記リング保持孔４ｘ３を通過している。
【００２２】
この綴じ具１を用いたファイルＦは、以下のようにして組み立てる。
【００２３】
まず、前記リング３を予め前記シート状部材４ｘのリング保持孔４ｘ３に嵌め込んでおく。次に、前記シート状部材４ｘを折り目４ｘ５で折り曲げていく。それから前記挿込突起４ｘ２を前記挿込孔４ｘ１に係合させていき、前記前記シート状部材４ｘを三角柱状をなすベース４に組み上げて綴じ具１を完成させる。さらに、この綴じ具１の前記リベット挿通孔４ｃとファイル本体２のリベット挿通孔とを重合させ、リベットＲを挿通させて前記綴じ具１を前記ファイル本体２に取り付ける。
【００２４】
このように、前記リング３と前記ベース４とを別体に形成しているので、共通のリング３を異なるサイズのファイルに対応させたベース４に保持させるようにすることにより種々のサイズに対応でき、リングとベースとを一体に形成した従来の綴じ具のようにサイズごとに異なる金型を用意する必要がなくなるので、種々のサイズに対応するコストを低下させることができる。また、前記ベース４が、前記非綴じ込み領域３ａをこの非綴じ込み領域３ａの端縁からリング３の中心に向かう方向から被覆するリング被覆部４ｂを有するので、このリング被覆部にファイルの内容を示すラベルを設けることや、ファイル本体を別に用意することなくこの綴じ具単独で紙葉類を綴じるようにすることができる等、デザイン上の自由度を高めることができる。
【００２５】
また、一端縁部に挿込孔４ｘ１を複数設けているとともに、他端縁部に挿込突起４ｘ２を設け、さらにこれら挿込孔４ｘ１と挿込突起４ｘ２との中間、すなわち幅方向中心部にはリング保持孔４ｘ３を複数設けている所定の形状をなすシート状部材４ｘを折り曲げてベース４を形成しているので、このような綴じ具１を簡単な構成で無理なく実現できる。
【００２６】
特に、前記リング３を前記リング保持孔４ｘ３に予め嵌め込み、前記シート状部材４ｘを所定の折り目４ｘ５で折り曲げ、さらに前記挿込孔４ｘ１と前記挿込突起４ｘ２とを係合させて三角柱状に組み立てるようにしているので、前記リング３を無理なく取り付けることができるとともに、前記挿込孔４ｘ１と前記挿込突起４ｘ２との係合により安定して前記シート状部材４ｘを組み上げることができる。
【００２７】
さらに、前記ベース４が三角柱状をなしているので、この三角柱を折り曲げる方向に対して剛性が与えられているとともに、三角柱の一面を前記リンク被覆部４ｂとし、ラベルを設けやすくなる。
【００２８】
そして、前記ベース４を、このベース４と別体をなすファイル本体２に取り付けてファイルＦを形成しているので、ファイルＦに表表紙２ｂや裏表紙２ｃをさらに設けてデザイン上の自由度をより高めることができる。
【００２９】
なお、本発明は上述した実施形態に限られない。
【００３０】
例えば、被係合部を切れ込みにより構成する態様や、係合部と被係合部とを相互に噛み合わせるようにする態様等、係合部及び被係合部の形状はさまざまに変形してもよい。
【００３１】
また、図６〜図８に示すように、ベース４をリング保持部４ａを有するリング保持部材４１とリング被覆部４ｂを有する係止部材４２とにより構成してもよい。なお、図６〜図８では、紙葉類は省略して示している。この場合、図６に示すように、リング保持部材４１を側面視Ｗ字状に折り曲げるとともに、ファイル本体２を係止部材４２とし、前記リング保持部材４１の端部４１ｘを前記ファイル本体２に重合させて係止する態様も考えられる。この場合、リング保持部材４１と係止部材４２たるファイル本体２とをともにポリプロピレン等の合成樹脂により形成し、リング保持部材４１の端部４１ｘを係止部材４２（ファイル本体２）に溶着してもよい。また、図７に示すように、前記係止部材４２をチャネル状に形成するとともに、前記リング保持部材４１を折り曲げてその端部４１ｘを前記係止部材４２と係合させるようにしてもよい。さらに、図８に示すように、前記リング保持部材４１の両端縁部を重合させて三角柱状に形成し、リング３を設けていない側端部４１ｘを係止部材４２に係合させるとともに、前記リング保持部材４１の両端縁部をリベットＲ等の係止手段を介して係止する態様も考えられる。
【００３２】
加えて、ベースはシート状部材を折り曲げて形成する代わりに、例えば射出成形により形成するようにしてもよい。この場合、リング係合部たるリング係合穴を有するベースを合成樹脂を用いて形成するとともに、前記リング係合穴にリングを弾性係合させてもよい。
【００３３】
また、ベースの形状は三角柱状に限られず、例えば図９に示すように、Ｔ字状のベース５を用いる等、他の形状のベースを用いてもよい。ここで、Ｔ字状のベース５は、同図に示すように、縦棒の部分にリング保持部５ａ、横棒の部分にリング被覆部５ｂをそれぞれ形成するとよい。
【００３４】
さらに、ベースはファイル本体に取付可能に構成しなくてもよい。この場合は綴じ具を単独で用いて紙葉類を綴じる構成に限定される。
【００３５】
そして、リングをＤ字形等、円形でない閉じた形状にしてもよい。
【００３６】
【発明の効果】
本発明は、１又は複数の閉じたリングを具備する綴じ具に、前記リングを保持するとともに、前記リングと別体に形成されたベースを具備させているので、ベースの寸法のみを変更することにより異なるサイズの用紙に対応することができ、さまざまなサイズに対応させるためのコストを低下させることができる。また、このベースが、前記リングの紙葉類を綴じ込まない側の領域である非綴じ込み領域を被覆するリング被覆部とを有するので、このリング被覆部にファイルの内容を示すラベルを設けることや、ファイル本体を別に用意することなくこの綴じ具単独で紙葉類を綴じるようにすることができる等、デザイン上の自由度を高めることができる。
【図面の簡単な説明】
【図１】本発明の一実施形態に係る綴じ具を用いたファイルの斜視図。
【図２】同実施形態に係る綴じ具を用いたファイルの正面図。
【図３】同実施形態に係る綴じ具を用いたファイルの平面図。
【図４】同実施形態に係る綴じ具を用いたファイルの側面図。
【図５】同実施形態に係る綴じ具を構成するベースを構成するシート状部材の展開図。
【図６】本発明の他の実施形態に係る綴じ具を用いたファイルの正面図。
【図７】本発明の他の実施形態に係る綴じ具を用いたファイルの正面図。
【図８】本発明の他の実施形態に係る綴じ具の正面図。
【図９】本発明の他の実施形態に係る綴じ具を用いたファイルの正面図。
【符号の説明】
１…綴じ具
２…ファイル本体
３…リング
３ａ…非綴じ込み領域
４、５…ベース
４ａ、５ａ…リング保持部
４ｂ、５ｂ…リング被覆部
４ｘ…シート状部材
４ｘ１…挿込孔（被係合部）
４ｘ２…挿込突起（係合部）
４ｘ５…折り目
【図１】
2004025492.tif 000003
【図２】
2004025492.tif 000004
【図３】
2004025492.tif 000005
【図４】
2004025492.tif 000006
【図５】
2004025492.tif 000007
【図６】
2004025492.tif 000008
【図７】
2004025492.tif 000009
【図８】
2004025492.tif 000010
【図９】
2004025492.tif 000011